(57)【要約】【課題】コマを机上の任意の位置に誘導操作することが可能であり、複数個のコマどうしを衝突させる喧嘩ゴマのだけでなく、スラロームやサッカーゲームなどの種々の遊び方を実現することができる、従来には無い新規なコマ（操作コマ）を提供する。【解決手段】本発明に係る操作コマは、コマ本体２と、コマ本体２の上方より非接触状態でコマ本体２を誘導操作するための操作体３とからなり、これらコマ本体２と操作体３との間に作用する磁力により、コマ本体２を机上の任意の位置に誘導操作することが可能である。コマ本体２は、下端が机面４に接する回転軸１０と、回転軸１０を起立・回転させるための遠心力を発揮する回転体１１とを備え、回転体１１の回転中心部に、操作体３との間で磁力に由来する吸引力或いは反発力を得るための被操作片２０が設けられている。【選択図】図１
2011206509.tif 000002
【特許請求の範囲】
【請求項１】
コマ本体（２）と、該コマ本体（２）の上方より非接触状態で該コマ本体（２）を誘導操作するための操作体（３）とからなり、これらコマ本体（２）と操作体（３）との間に作用する磁力により、コマ本体（２）を机上の任意の位置に誘導操作することができる操作コマであって、
コマ本体（２）は、下端が机面（４）に接する回転軸（１０）と、該回転軸（１０）を起立・回転させるための遠心力を発揮する回転体（１１）とを備え、
回転体（１１）の回転中心部に、操作体（３）との間で磁力に由来する吸引力或いは反発力を得るための被操作片（２０）が設けられており、
操作体（３）および被操作片（２０）の少なくともいずれか一方が磁石で形成され、他方が磁石又は磁性金属で形成されており、
コマ本体（２）の被操作片（２０）に対して、該コマ本体（２）に接触しないように上方より操作体（３）を近付けたとき、被操作片（２０）と操作体（３）との間に作用する磁力により、コマ本体（２）を机上の任意の位置に誘導操作することができるようになっていることを特徴とする操作コマ。
【請求項２】
回転体（１１）は、中央開口を有する円リング状に形成された磁石であり、
回転体（１１）の中心部近傍から発せられる磁力線（Ｌ１）と、操作体（３）との間に発生する磁力に由来する吸引力或いは反発力により、任意の位置に誘導操作することができるようになっており、
円リング状の磁石で形成された回転体（１１）の中心部近傍が被操作片（２０）となっている、請求項１記載の操作コマ。
【請求項３】
回転軸（１０）の上下方向の中央部に、回転体（１１）が装着されており、
回転軸（１０）の上端に、被操作片（２０）が設けられている、請求項１記載の操作コマ。
【請求項４】
回転体（１１）が、中央開口を有する円リング状に形成された磁石（１１ａ・１１ｂ）であり、
回転軸（１０）が、回転体（１１）の中央開口内に挿通されて、上下方向から回転体（１１）を挟持保持する上下のブロック（１４・１５）と、上ブロック（１４）の上方に着脱自在に装着されるヘッド（１６）と、下ブロック（１５）の下方に着脱自在に装着されるボトム（１７）とを含み、
ヘッド（１６）に、被操作片（２０）が組み付けられている、請求項３記載の操作コマ。
【請求項５】
コマ本体（２）と、該コマ本体（２）の上方より非接触状態で該コマ本体（２）を誘導操作するための操作体（３）とからなる操作コマ（１）と、コマ本体（２）により弾き飛ばされるボール（３０）とを含む、操作コマ（１）を使ったサッカー遊戯具であって、
コマ本体（２）は、下端が机面（４）に接する回転軸（１０）と、該回転軸（１０）を起立・回転させるための遠心力を発揮する回転体（１１）とを備え、
回転体（１１）の回転中心部に、操作体（３）との間で磁力に由来する吸引力或いは反発力を得るための被操作片（２０）が設けられており、
操作体（３）および被操作片（２０）の少なくともいずれか一方が磁石で形成され、他方が磁石又は磁性金属で形成されており、
コマ本体（２）の被操作片（２０）に対して、該コマ本体（２）に接触しないように上方より操作体（３）を近付けると、被操作片（２０）と操作体（３）との間に作用する磁力により、コマ本体（２）を机上の任意の位置に誘導操作することができるようになっており、
コマ本体（２）の回転体（１１）を机上に3+置かれたボール（３０）に衝突させることで、ボール（３０）を任意の方向に弾き飛ばすことができるようになっていることを特徴とする操作コマを使ったサッカー遊戯具。
【請求項６】
コマ本体（２）と、該コマ本体（２）の上方より非接触状態で該コマ本体（２）を誘導操作するための操作体（３）とからなる操作コマ（１）と、机上の置かれた障害物（３３）とを含む、スラローム遊戯具であって、
コマ本体（２）は、下端が机面（４）に接する回転軸（１０）と、該回転軸（１０）を起立・回転させるための遠心力を発揮する回転体（１１）とを備え、
回転体（１１）の回転中心部に、操作体（３）との間で磁力に由来する吸引力或いは反発力を得るための被操作片（２０）が設けられており、
操作体（３）および被操作片（２０）の少なくともいずれか一方が磁石で形成され、他方が磁石又は磁性金属で形成されており、
コマ本体（２）の被操作片（２０）に対して、該コマ本体（２）に接触しないように上方より操作体（３）を近付けると、被操作片（２０）と操作体（３）との間に作用する磁力により、コマ本体（２）を机上の任意の位置に誘導操作することができるようになっており、
コマ本体（２）を障害物（３３）を避けながらスタート位置からゴール位置まで誘導操作させることで、コマ本体（２）のゴール位置に到達するまでの所要時間を競うことができるようになっていることを特徴とする、操作コマを使ったスラローム遊戯具。
【請求項７】
二つ以上のコマ本体（２・２）と、両コマ本体（２・２）を上方より非接触状態で誘導操作するための一又は二以上の操作体（３・３）とからなる操作コマ（１・１）を含み、
コマ本体（２）は、下端が机面（４）に接する回転軸（１０）と、該回転軸（１０）を起立・回転させるための遠心力を発揮する回転体（１１）とを備え、
回転体（１１）の回転中心部に、操作体（３）との間で磁力に由来する吸引力或いは反発力を得るための被操作片（２０）が設けられており、
操作体（３）および被操作片（２０）の少なくともいずれか一方が磁石で形成され、他方が磁石又は磁性金属で形成されており、
コマ本体（２）の被操作片（２０）に対して、該コマ本体（２）に接触しないように上方より操作体（３）を近付けると、被操作片（２０）と操作体（３）との間に作用する磁力により、コマ本体（２）を机上の任意の位置に誘導操作することができるようになっており、
操作体（３）で誘導操作しながら両コマ本体（２・２）を衝突させて、いずれのコマ本体（２）が最後まで回転しているかを競うことを特徴とする、操作コマを使った喧嘩コマ遊戯具。
【請求項８】
コマ本体（２）と、該コマ本体（２）の上方より非接触状態で該コマ本体（２）を誘導操作するための操作体（３）とからなる操作コマ（１）と、傾斜面（３５ａ）を有するジャンプ台（３５）とを含む、ジャンプ遊戯具であって、
コマ本体（２）は、回転軸（１０）と、該回転軸（１０）を起立・回転させるための遠心力を発揮する回転体（１１）とを備え、
回転体（１１）の回転中心部に、操作体との間で磁力に由来する吸引力或いは反発力を得るための被操作片（２０）が設けられており、
操作体（３）および被操作片（２０）の少なくともいずれか一方が磁石で形成され、他方が磁石又は磁性金属で形成されており、
コマ本体（２）の被操作片（２０）に対して、該コマ本体（２）に接触しないように上方より操作体（３）を近付けると、被操作片（２０）と操作体（３）との間に作用する磁力により、コマ本体（２）を任意の位置に誘導操作することができるようになっており、
傾斜面（３５ａ）の下端の踏み切り位置（３５ｂ）には、ジャンプ用の磁石（３６）が埋設されており、
回転軸（１０）の下端には、ジャンプ用の磁石（３６）と逆向きの極の磁石（２１）が装着されており、
ジャンプ台（３５）の上方より、操作体（３）を使ってコマ本体（２）を傾斜面（３５ａ）を誘導滑走させて、コマ本体（２）が踏み切り位置（３５ｂ）に至ると、ジャンプ用の磁石（３６）と回転軸（１０）の下端の磁石（２１）との反発力により、コマ本体（２）がジャンプ台（３５）から斜め上方に飛び出すように構成されていることを特徴とする、操作コマを使ったジャンプ遊戯具。
【発明の詳細な説明】
【技術分野】
【０００１】
本発明は、遊戯者の思い通りの位置にコマを誘導操作することができる、操作コマと、該操作コマを使ったサッカー遊戯具、スラローム遊戯具、喧嘩ゴマ遊戯具、およびジャンプ遊戯具に関する。
【背景技術】
【０００２】
本発明に係る操作コマは磁石を備えるものであるが、このようにコマに磁石を組み付けること自体は、例えば特許文献１、２に開示されており公知である。
特許文献１のコマは、凹面状の遊戯盤内で複数個のコマを衝突させて、いずれのコマが最後まで回転するかを競う、所謂「喧嘩ゴマ」であり、コマの重錘を磁石で形成したことを特長とする。このようにコマの重錘が磁石により形成されていると、両コマに作用する磁力の反発力或いは吸引力により、コマどうしの衝突具合を変化させて、コマの自立回転時間に変化を付けることができる。
特許文献２は、回転する磁石の磁力の影響を学習するための磁石セットに関するものであり、コマの本体を兼用する円形容器に形状の異なる複数の磁石が収納されており、円形容器の一方の面から突出する短軸が磁石で形成されている。
【先行技術文献】
【特許文献】
【０００３】
【特許文献１】登録実用新案第３０８９７７７号公報（図２、図３、図４参照）
【特許文献２】登録実用新案第３１１４６０８号公報（図４、図７参照）
【発明の概要】
【発明が解決しようとする課題】
【０００４】
本発明者の岡本凌氏は、大阪府岸和田市在住の小学五年生であり、コマを机上の任意の位置に誘導操作することができれば、喧嘩ゴマとしての興趣性が格段に向上するほか、障害物の間をぬってコマを走らせたり、コマの回転力を利用してボールを飛ばす、サッカーゲームが可能となることを思い付いた。
【０００５】
しかし、特許文献１は喧嘩ゴマ専用のコマであり、軸や錘等を選択するセッティング動作、或いは重錘の表裏面をいずれの方向とするか（重錘の表裏いずれの面をＳ極、Ｎ極とするかの選択）のセッティング動作に、戦略的な思考や、経験に基づいた論理的な思考が必要で、その点に高い興趣性を見出すことができるものの、コマを遊戯盤内に落とした後は、コマの衝突動作を眺めるしかなく、本発明者が目指す操作コマとは程遠い。
【０００６】
特許文献２に開示されているコマは、磁力の影響を学習するための磁石セットにすぎず、回転しているコマの短軸に磁石や磁性体を近付けたときのそれらの動きを見て、回転している磁石の磁力の作用を学習するためのものであり、机上でコマを任意の位置に誘導操作するという技術思想は全く無い。
【０００７】
本発明は、コマを机上の任意の位置に誘導操作することが可能であり、複数個のコマどうしを衝突させる喧嘩ゴマのだけでなく、スラロームやサッカーゲームなどの種々の遊び方を実現することができる、従来には無い新規なコマ（操作コマ）を提供することを目的とする。
【課題を解決するための手段】
【０００８】
本発明は、コマ本体２と、該コマ本体２の上方より非接触状態で該コマ本体２を誘導操作するための操作体３とからなり、これらコマ本体２と操作体３との間に作用する磁力により、コマ本体２を机上の任意の位置に誘導操作することができる操作コマである。コマ本体２は、下端が机面４に接する回転軸１０と、該回転軸１０を起立・回転させるための遠心力を発揮する回転体１１とを備える。回転体１１の回転中心部に、操作体３との間で磁力に由来する吸引力或いは反発力を得るための被操作片２０が設けられている。操作体３および被操作片２０の少なくともいずれか一方が磁石で形成され、他方が磁石又は磁性金属で形成されている。そして、コマ本体２の被操作片２０に対して、該コマ本体２に接触しないように上方より操作体３を近付けたとき、被操作片２０と操作体３との間に作用する磁力により、コマ本体２を机上の任意の位置に誘導操作することができるようになっていることを特徴とする。
【０００９】
上記「回転体１１の回転中心部に、・・・被操作片２０が設けられ」とは、回転体１１の回転中心軸Ｐ上に被操作片２０が設けられている形態（図１、図５および図６参照）のほか、回転体１１の回転中心軸Ｐを囲むように被操作片２０が設けられている形態（図７および図８参照）を含む概念である。また、図９に示すように、回転体１１が円リング磁石で形成されており、当該円リング磁石の中心部の近傍から出た磁力線が操作体３と作用して、吸引力或いは反発力を得る形態であってもよい。
上記「机面４」とは、床面なども含む概念であり、「机上」も床等も含む概念である。
上記各概念は、他の請求項においても同様である。
【００１０】
本発明は、図１０に示すように、回転体１１が、中央開口を有する円リング状に形成された磁石であり、回転体１１の中心部近傍から発せられる磁力線Ｌ１と、操作体３との間に発生する磁力に由来する吸引力或いは反発力により、任意の位置に誘導操作することができるようになっており、しかるに、円リング状の磁石で形成された回転体１１の中心部近傍が被操作片２０となる形態を採ることができる。
【００１１】
本発明は、図１および図５に示すように、回転軸１０の上下方向の中央部に、回転体１１が装着されており、回転軸１０の上端に、被操作片２０が設けられている形態を採ることができる。
【００１２】
図１に示すように、回転体１１が、中央開口を有する円リング状に形成された磁石１１ａ・１１ｂであり、回転軸１０が、回転体１１の中央開口内に挿通されて、上下方向から回転体１１を挟持保持する上下のブロック１４・１５と、上ブロック１４の上方に着脱自在に装着されるヘッド１６と、下ブロック１５の下方に着脱自在に装着されるボトム１７とを含み、ヘッド１６に、被操作片２０が組み付けられている形態を採ることができる。
【００１３】
本発明は、図１１に示すように、コマ本体２と、該コマ本体２の上方より非接触状態で該コマ本体２を誘導操作するための操作体３とからなる操作コマ１と、コマ本体２により弾き飛ばされるボール３０とを含む、操作コマ１を使ったサッカー遊戯具である。コマ本体２は、下端が机面４に接する回転軸１０と、該回転軸１０を起立・回転させるための遠心力を発揮する回転体１１とを備え、回転体１１の回転中心部に、操作体３との間で磁力に由来する吸引力或いは反発力を得るための被操作片２０が設けられており、操作体３および被操作片２０の少なくともいずれか一方が磁石で形成され、他方が磁石又は磁性金属で形成されており、コマ本体２の被操作片２０に対して、該コマ本体２に接触しないように上方より操作体３を近付けると、被操作片２０と操作体３との間に作用する磁力により、コマ本体２を机上の任意の位置に誘導操作することができるようになっている。そして、コマ本体２の回転体１１を机上に置かれたボール３０に衝突させることで、ボール３０を任意の方向に弾き飛ばすことができるようになっていることを特徴とする。
【００１４】
また本発明は、図１２に示すように、コマ本体２と、該コマ本体２の上方より非接触状態で該コマ本体２を誘導操作するための操作体３とからなる操作コマ１と、机上の置かれた障害物３３とを含む、スラローム遊戯具である。コマ本体２は、下端が机面４に接する回転軸１０と、該回転軸１０を起立・回転させるための遠心力を発揮する回転体１１とを備え、回転体１１の回転中心部に、操作体３との間で磁力に由来する吸引力或いは反発力を得るための被操作片２０が設けられており、操作体３および被操作片２０の少なくともいずれか一方が磁石で形成され、他方が磁石又は磁性金属で形成されており、コマ本体２の被操作片２０に対して、該コマ本体２に接触しないように上方より操作体３を近付けると、被操作片２０と操作体３との間に作用する磁力により、コマ本体２を机上の任意の位置に誘導操作することができるようになっている。そして、コマ本体２を障害物３３を避けながらスタート位置からゴール位置まで誘導操作させることで、コマ本体２のゴール位置に到達するまでの所要時間を競うことができるようになっていることを特徴とする。
【００１５】
また本発明は、図１３に示すように、二つ以上のコマ本体２・２と、両コマ本体２・２を上方より非接触状態で誘導操作するための一又は二以上の操作体３・３とからなる操作コマ１・１を含む、操作コマ１を使った喧嘩ゴマ遊戯具である。コマ本体２は、下端が机面４に接する回転軸１０と、該回転軸１０を起立・回転させるための遠心力を発揮する回転体１１とを備え、回転体１１の回転中心部に、操作体３との間で磁力に由来する吸引力或いは反発力を得るための被操作片２０が設けられており、操作体３および被操作片２０の少なくともいずれか一方が磁石で形成され、他方が磁石又は磁性金属で形成されており、コマ本体２の被操作片２０に対して、該コマ本体２に接触しないように上方より操作体３を近付けると、被操作片２０と操作体３との間に作用する磁力により、コマ本体２を机上の任意の位置に誘導操作することができるようになっている。そして、操作体３で誘導操作しながら両コマ本体２・２を衝突させて、いずれのコマ本体２が最後まで回転しているかを競うことを特徴とする。
【００１６】
また本発明は、図１４に示すように、コマ本体２と、該コマ本体２の上方より非接触状態で該コマ本体２を誘導操作するための操作体３とからなる操作コマ１と、傾斜面３５ａを有するジャンプ台３５とを含む、ジャンプ遊戯具である。コマ本体２は、回転軸１０と、該回転軸１０を起立・回転させるための遠心力を発揮する回転体１１とを備え、回転体１１の回転中心部に、操作体との間で磁力に由来する吸引力或いは反発力を得るための被操作片２０が設けられており、操作体３および被操作片２０の少なくともいずれか一方が磁石で形成され、他方が磁石又は磁性金属で形成されており、コマ本体２の被操作片２０に対して、該コマ本体２に接触しないように上方より操作体３を近付けると、被操作片２０と操作体３との間に作用する磁力により、コマ本体２を任意の位置に誘導操作することができるようになっている。傾斜面３５ａの下端の踏み切り位置３５ｂには、ジャンプ用の磁石２１が埋設されており、回転軸１０の下端には、ジャンプ用の磁石２１と逆向きの極の磁石３６が装着されている。そして、ジャンプ台３５の上方より、操作体３を使ってコマ本体２を傾斜面３５ａを誘導滑走させて、コマ本体２が踏み切り位置３５ｂに至ると、ジャンプ用の磁石３６と回転軸１０の下端の磁石との反発力により、コマ本体２がジャンプ台３５から斜め上方に飛び出すように構成されていることを特徴とする。
【発明の効果】
【００１７】
本発明に係る操作コマは、コマ本体２と、該コマ本体２の上方より非接触状態で該コマ本体２を誘導操作するための操作体３とで構成した。また、コマ本体２の回転体１１の回転中心部に、操作体３との間で磁力に由来する吸引力或いは反発力を得るための被操作片２０を設けた。この操作コマにおいては、机上で回転するコマ本体２に対して、コマ本体２と接触しないようにしながら、上方より操作体３を近付けることで、操作体３と被操作片２０との間で作用する磁力（吸引力或いは反発力）により、コマ本体２の自立回転状態を維持しながら、コマ本体２を机上等の任意の位置に誘導操作することができる。したがって、遊戯者が操作体３を使ってコマ本体２を誘導操作するという、従来のコマでは全く想定されていない、興趣性に富んだ遊戯を実現することができる。
【００１８】
そのうえで、コマ本体２の回転体１１の回転中心部に被操作片２０が設けられていると、回転体１１の回転中心部に対して磁力を作用させながら操作体３を使ってコマ本体２を誘導操作することが可能となり、誘導操作時にコマ本体２の回転の中心軸が不用意に傾くことを抑えることができる。
すなわち、例えば回転体１１の縁部に被操作片２０が設けられている形態では、コマ本体２に対して操作体３を上方より近付けると、回転体１１の縁部が操作体３に近付くように上方に持ち上げられ、或いは縁部が操作体３から離れるように下方に沈むため、コマ本体２の自立回転のための遠心力を発揮する回転体１１が波打つような斜め姿勢となることが避けられず、コマ本体２の自立回転時間が短くなる不利がある。つまり、回転体１１の縁部に被操作片２０が設けられている形態において、操作体３と被操作片２０との間に吸引力が作用する場合には、吸引力を回転体１１の縁部の全周に対して一定の磁力を働かせることは至難であり、操作体３と被操作片２０との間隔距離の変化に応じて、回転体１１の縁部の全周に作用する吸引力にばらつきが生じて、回転体１１の周縁の一部のみが大きく持ち上げられて、回転体１１が波打つことが避けられない。操作体３と被操作片２０との間に反発力が作用する場合も同様であり、操作体３と被操作片２０との間隔距離の変化に応じて、回転体１１の縁部の全周に作用する反発力にばらつきが生じて、回転体１１の周縁の一部のみが大きく沈みこんで、回転体１１が波打つことが避けられない。
これに対して、本発明のように、コマ本体２の回転体１１の回転中心部に設けられた被操作片２０を操作体３で吸引或いは反発させて、コマ本体２を誘導操作するようにしていると、回転体１１の縁部が部分的に上方に持ち上げられたり、下方に沈み込んだりすることはなく、回転体１１が波打って、コマ本体２の自立回転時間が短くなる不利は生じず、回転体１１の適正な回転状態を維持しながら、コマ本体２を誘導操作することができる。したがって、本発明に係る操作コマによれば、より長時間にわたってコマ本体２を自立回転させた状態で誘導操作することが可能であり、後述するサッカー遊戯具やスラローム遊戯具など、種々の興趣性に富んだ種々の遊戯具への適用が容易である。
【００１９】
回転体１１が中央開口を有する円リング状に形成された磁石であり、回転体１１の中心部近傍から発せられる磁力線Ｌ１と、操作体３との間に発生する磁力に由来する吸引力或いは反発力により誘導操作する形態を採ることができる。このように、回転体１１の中心部近傍から発せられる磁力線Ｌ１を使って誘導操作するようにしてあると、回転体１１の縁部から発せられる磁力線を使う形態では問題となる、回転体１１が波打つように傾く不具合の発生を確実に防止することができるので、コマ本体２の自立回転時間を可及的に大きくすることができる。また、円リング状の磁石で形成された回転体１１の中心部近傍を被操作片２０として利用するので、別途被操作片２０を設ける必要がなく、より安価に操作コマを作製することができる。
【００２０】
回転軸１０の上下方向の中央部に回転体１１が装着され、回転軸１０の上端に被操作片２０が設けられている形態を採ることが好ましい。このように、回転軸１０の上端に被操作片２０が設けられていると、被操作片２０に対して、上方より近付けられた操作体３との間の吸引力或いは反発力をダイレクトに作用させて、コマ本体２を誘導操作することができる。このことは、回転体１１の縁部に作用する吸引力や反発力を最小限化することができることを意味し、コマ本体２の自立回転時間を可及的に長くすることができる。
【００２１】
図１、図５および図９に示すように、回転体１１は中央開口を有する円リング状に形成された磁石とすることが好ましい。これによれば、市販の円リング状の磁石を利用して操作コマを作製することができるので、より低コストに操作コマを提供できる利点がある。また、回転軸１０を、上下のブロック１４・１５と、これらブロック１４・１５に着脱自在に装着されるヘッド１６とボトム１７とで構成してあると、図３および図５に示すような円錐状の下軸部やドーム状の下軸部など、異なる形状を有するボトム１７を支持体装着することで、コマ本体２の機動性や自立回転時間を大小に調整することが可能となる。被操作片２０が組み付けられているヘッド１６が着脱可能に構成されていると、磁極の異なる被操作片２０を備えるヘッド１６を交換することで、簡単に操作体３を使った吸引、或いは反発操作を選択することができる。
【００２２】
本発明に係る操作コマ１はサッカー遊戯具に適用することができる。このサッカー遊戯具では、操作体３によりコマ本体２をボール３０に向かって誘導操作し、コマ本体２をボール３０に衝突させて、これ（ボール３０）を任意の方向に弾き飛ばす。このとき、コマ本体２の回転方向やコマ本体２のボール３０への接近方向や接近速度によってボール３０の飛ぶ方向は変化する。したがって、ボール３０を遊戯者が所望の方向（例えばゴール３１の方向）へ飛ばすためには、これらコマ本体２の回転方向だけでなく、ボール３０への接近方向や接近速度などを勘案しながら、操作体３を使ってコマ本体２を誘導する必要がある。また、ボール３０の飛距離はコマ本体２の回転速度に左右されるため、当該回転速度を勘案する必要もある。以上のように、本発明のサッカー遊戯具は、ボール３０を所望の方向へ弾き飛ばすためには、コマ本体２の回転方向等、種々の要素を勘案しながら、操作体３を使ってコマ本体２を誘導操作する必要があり、従来の単に回すだけであったコマに比べて、高い興趣性を備えた遊戯具を提供することができる。
【００２３】
また、本発明に係る操作コマは、該操作コマ１と机上に置かれた障害物３３とを含むスラローム遊戯具に適用することができる。このスラローム遊戯具では、障害物３３との衝突を避けながらコマ本体２を移動させるためには、コマ本体２の回転方向に応じて操作体３の接近方向などや接近速度等を勘案する必要がある。スタート位置からゴール位置までコマ本体２を確実に移動させるためには、コマ本体２の自立回転時間を勘案する必要もある。以上のように、本発明のスラローム遊戯具では、障害物３３に衝突させることなく、コマ本体２をゴール位置まで移動させるためには、操作体３を使ったコマ本体２に対する微妙な誘導操作が必要であり、従来の単に回すだけであったコマに比べて、高い興趣性を備えた遊戯具を実現できる。
【００２４】
また、本発明に係る操作コマは、二以上のコマ本体２・２を衝突させて、いずれのコマ本体２・２が最後まで回転しているかを競う喧嘩ゴマ遊戯具に適用することができる。この喧嘩ゴマ遊戯具では、操作体３を使って、コマ本体２を自在に誘導操作することができるので、例えば攻撃能力や機動能力の高いコマ本体２を操作する遊戯者は、積極的に該コマ本体２を相手側に衝突させ、逆に持久力の強いコマ本体２を操作する遊戯者は、衝突が最小限に留まるように、コマ本体２を逃がすなどの戦略的な遊戯が可能となる。したがって、遊戯盤内にコマを落とした後は、コマの衝突動作を眺めるしかなかった従来の喧嘩ゴマに比べて、格段に興趣性に富んだ遊戯具を得ることができる。また、従来の喧嘩ゴマのように、お盆状に凹んだ遊戯面を有する遊戯盤を用意する必要が無く、平坦な机面上で遊戯できる点でも優れている。
【００２５】
また、本発明の操作コマは、該操作コマと、傾斜面３５ａを有するジャンプ台３５とを含む、ジャンプ遊戯具に適用することができる。このジャンプ遊戯具においては、ジャンプ台３５の上方より、操作体３を使ってコマ本体２をジャンプ台３５の傾斜面３５ａを誘導滑走させる。コマ本体２がジャンプ台３５の踏み切り位置３５ｂに至ると、ジャンプ用の磁石３６と回転軸１０の下端の磁石２１との反発力により、コマ本体２がジャンプ台３５から斜め上方に飛び出すようになっている。したがって、コマ本体２を遠くまでジャンプさせるためには、遊戯者は踏み切り位置３５ｂへのコマ本体２の進入速度や侵入角度などを、操作体３を使って最適化する必要がある。ジャンプ後に操作体３を使って、コマ本体２をさらに斜め上方に誘導することで、コマ本体２のジャンプ距離を伸ばすことができ、ジャンプ後の操作３の誘導操作にも工夫が求められる。以上のように、本発明のジャンプ遊戯具によれば、従来の単に回すだけであったコマに比べて、高い興趣性を備えた遊戯具を提供することができる。
【図面の簡単な説明】
【００２６】
【図１】本発明の第１実施例に係る操作コマを構成するコマ本体の縦断正面図である。
【図２】本発明の第１実施例に係る操作コマを構成するコマ本体の分解斜視図である。
【図３】本発明の第１実施例に係る操作コマを構成するコマ本体の縦断正面図である。
【図４】本発明の第１実施例に係る操作コマを使った遊戯方法を説明するための図である。
【図５】本発明の第２実施例に係る操作コマを構成するコマ本体の縦断正面図である。
【図６】本発明の第３実施例に係る操作コマを構成するコマ本体の縦断正面図である。
【図７】本発明の第４実施例に係る操作コマを構成するコマ本体の縦断正面図である。
【図８】本発明の第５実施例に係る操作コマを構成するコマ本体の縦断正面図である。
【図９】本発明の第６実施例に係る操作コマを構成するコマ本体の縦断正面図である。
【図１０】本発明の第６実施例に係る操作コマを使った遊技方法を説明するための図である。
【図１１】本発明の第７実施例に係る操作コマを使用したサッカー遊戯具を示す図である。
【図１２】本発明の第８実施例に係る操作コマを使用したスラローム遊戯具を示す図である。
【図１３】本発明の第９実施例に係る操作コマを使用した喧嘩ゴマを示す図である。
【図１４】本発明の第１０実施例に係る操作コマを使用したジャンプ遊戯具を示す図である。
【発明を実施するための形態】
【００２７】
（第１実施例）  図１ないし図４に本発明に係る操作コマの第１実施例を示す。図１および図４に示すように、操作コマ１は、コマ本体２と、コマ本体２の上方よりコマ本体２を誘導操作するための操作体３とからなる。そして、自立回転状態にあるコマ本体２に対して操作体３を近付け、これらコマ本体２と操作体３との間に作用する磁力により、コマ本体２を机面４の任意の位置に誘導操作することができるようになっている。
【００２８】
操作体３は、一端にＳ極を有し、他端にＮ極を有する棒状の磁石であり、これらいずれかの磁極をコマ本体２に近付けることにより、コマ本体２に対して磁気吸引力、或いは磁気反発力を作用させて、コマ本体２を誘導操作することができるようになっている。尤も操作体３は棒状の磁石に限られず、要は、コマ本体２との間で磁力に由来する誘導操作力が得られるものであればよい。
【００２９】
コマ本体２は、下端が机面４に接する回転軸１０と、該回転軸１０よりも大径に形成さされて、回転軸１０を起立・回転させるための遠心力を発揮する回転体１１とを備える。図２に示すように、回転体１１は、中央開口１２を有して、上下面が異なる磁極面を有する上下一対の円リング状の磁石１１ａ・１１ｂからなり、対向する上下の異なる磁極面どうしを磁気吸着することで一体化してなる。回転軸１０は、回転体１１の中央開口に挿通される円筒状の軸受筒１３と、軸受筒１３の軸受孔１３ａに上下方向から挿入されて、回転体１１を挟持保持する上下一対のブロック１４・１５と、上ブロック１４に装着されるヘッド１６と、下ブロック１５に装着されるボトム１７とで構成される。
【００３０】
軸受筒１３は、回転体１１を構成する磁石１１ａ・１１ｂの中央開口１２の内径寸法と略同寸の外径寸法を有する上下縦長の筒本体１３ｂと、筒本体１３ｂの上下端から外方向に張り出し形成されたフランジ１３ｃ・１３ｃとを有し、これらを一体に成形してなるゴム成形品であり、上下一方のフランジ１３ｃを変形させながら、磁石１１ａ・１１ｂの中央開口１２に筒本体１３ｂを押し込むことで、軸受筒１３を回転体１１に組み付けることができる。かかる組み付け状態においては、上下のフランジ１３ｃ・１３ｃが、回転体１１の上下面を挟持している。
【００３１】
下ブロック１５は、軸受筒１３内に挿入される小径部１５ａと、小径部１５ａの下方に設けられた大径部１５ｂとを一体に成形してなる樹脂成形品である。上ブロック１４は、軸受筒１３内に挿入される小径部１４ａと、小径部１４ａの上方に設けられた大径部１４ｂと、小径部１４ａの下面から突出形成された雄ねじ部１４ｃとを一体に成形してなる樹脂成形品である。下ブロック１５の小径部１５ａの上面に形成された凹部の内面には雌ねじ部１５ｃが形成されている。軸受筒１３内に両ブロック１４・１５を上下方向から挿入したうえで、上ブロック１４の雄ねじ部１４ｃを下ブロック１５の雌ねじ部１５ｃに捩じ込み、両ブロック１４・１５を螺合接合させることで、両者１４・１５を一体化することができる。両ブロック１４・１５を螺合接合させたとき、上下のフランジ１３ｃ・１３ｃを介して、両ブロック１４・１５の大径部１４ｂ・１５ｂは回転体１１の上下面を挟持保持する。上下のブロック１４・１５の小径部１４ａ・１５ａの外径寸法は、軸受筒１３の軸受孔１３ａの内径寸法と略同寸法に設定されている。
【００３２】
ヘッド１６は、上面に被操作片２０を備えるベース１６ａと、ベース１６ａの下面から下方向に突設された雄ねじ部１６ｂとを一体に成形してなる樹脂成形品である。上ブロック１４の大径部１４ｂの上面には、雌ねじ部１４ｄを有する穴が形成されており、この雌ねじ部１４ｄにヘッド１６の雄ねじ部１６ｂを捩じ込むことで、ヘッド１６は上ブロック１４に対して着脱可能に装着されている。符号１８はヘッド１６の雄ねじ部１６ｂに外嵌装着される、回り止め用の円リング状のパッキンを示す。上ブロック１４の雌ねじ部１４ｄを有する穴のまわりには、該パッキン１８を受け入れるための円形の凹部１４ｅが形成されている。ベース１６ａの上面中央には、円形の凹部１６ｃが陥没形成されており、該凹部１６ｃから上端が突出するような姿勢で被操作片２０である磁石、或いは磁性金属が嵌め込まれている。
【００３３】
ボトム１７は、下面に机面４に接する接地片２１を有するベース１７ａと、ベース１７ａの上面から上方向に突設された雄ねじ部１７ｂとを一体に成形してなる樹脂成形品である。下ブロック１５の大径部１５ｂの下面には、雌ねじ部１５ｄを有する穴を形成し、この雌ねじ部１５ｄにボトム１７の雄ねじ部１７ｂを捩じ込むことで、ボトム１７は下ブロック１５に対して着脱可能に装着されている。符号１９はボトム１７の雄ねじ部１７ｂに外嵌装着される、回り止め用の円リング状のパッキンを示す。下ブロック１５の雌ねじ部１５ｄを有する穴のまわりには、該パッキン１９を受け入れるための円形の凹部１５ｅが形成されている。ベース１７ａの上面中央には、円形の凹部１７ｃが陥没形成されており、凹部１７ｃから上端が突出するような姿勢で接地片２１が嵌め込まれている。かかる接地片２１も磁石、或いは磁性金属などで構成することができる。なお、以下において符号２１は、接地片、或いは接地片を構成する磁石を示す。
【００３４】
このように、ボトム１７を下ブロック１５に対して着脱自在な構成とされていると、図３に示すように、異なる形状の接地片２１を有するボトム１７を下ブロック１５に付け替えることで、コマ本体１０の攻撃力や持久力などを適宜に変更することができる。因みにドーム形の接地片を有するボトム１７（図３の左端のボトム）を装着した場合には、コマ本体２を安定的に長時間にわたって自立回転状態を維持できる持久タイプのコマとすることができる。下面に平坦面を有する接地片２１や、陥没凹部を有する接地片２１を備えたボトム１７（図３の右端のボトム）を選択した場合には、コマ本体を動きが大きな攻撃タイプのコマとすることができる。接地片２１の素材としては、金属、樹脂のほかゴムなどであってもよい。最も、本実施例１に係るコマ本体２は、これを天地逆姿勢に反転させても回転操作が可能であり、したがって、接地片２１が被操作片２０として機能するように、該接地片２１を磁性金属や磁石で形成してもよい。
【００３５】
以上のような構成を有する操作コマ１では、まず、コマ本体２を机面上で自立回転させる。具体的には、上ブロック１４を指先で摘んでひねることで、コマ本体２を机面４上で自立回転させることができる。次に、操作体３を自立回転状態にあるコマ本体２の被操作片２０に近付けることで、操作体３と被操作片２０との間に作用する磁気吸引力或いは磁気反発力により、コマ本体２を机上の所望位置に移動させることができる。
具体的には、コマ本体２に近付ける操作体３の下端の磁極と、被操作片２０の磁極とが異なる場合、或いは被操作片２０が磁性金属で構成されている場合には、コマ本体２に磁気吸引力を作用させて、コマ本体２を操作体３に近付く方向に誘導操作することができる。逆に、操作体３の下端の磁極と、被操作片２０の磁極とが一致する場合には、コマ本体２に磁気反発力を作用させて、コマ本体２を操作体３から離れる方向に誘導操作することができる。
【００３６】
以上のように、本実施例に係る操作コマ１によれば、机面４上で自立回転するコマ本体２を遊戯者の所望する机上の位置に誘導操作することができるという、従来の特許文献１、２等に記載のコマでは全く想定されていない、興趣性に富んだ新規な遊戯を実現することができる。
【００３７】
そのうえで、コマ本体２の回転軸１０の回転中心軸Ｐ上に被操作片が設けられていると、コマ本体２の回転中心に対してダイレクトに磁力を作用させながら、操作体３を使ってコマ本体２を誘導操作することができるので、誘導操作時に回転体１１が波打つように傾くことを防ぐことができる。すなわち、この操作コマ１では、回転体１１に被操作片２０が設けられていて、回転体１１に対して磁力を作用させる形態では不可避であった、操作体３と被操作片２０との間に作用する磁力によって回転体１１が波打って、コマ本体２の自立回転時間が短くなる不都合は生じず、より長時間にわたって、コマ本体２の自立回転状態を維持することができる。
なお、本実施例においては、基本的に円リング状の磁石である回転体１１に磁気吸引力或いは磁気反発力の磁力を作用させて、コマ本体２を操作することは予定していない。換言すれば、回転体１１を被操作片２０として使用することは予定していない。これは、上記のように、回転体１１の縁部に対して磁力を作用させると、回転体１１が波打って、コマ本体２の自立回転時間が短くなるおそれがあることに拠る。
かかる円リング状の磁石である回転体１１は、後述する第９実施例の喧嘩ゴマ遊戯具において興趣性の向上を図るうえで有用なものである。具体的には、回転体１１を構成する磁石１１ａ・１１ａの磁極に由来して、コマ本体２・２に磁力（磁気反発力、或いは磁気吸引力）が作用し、該磁力によって、コマ本体２・２どうしの衝突具合を変化させて、喧嘩ゴマ遊戯具の興趣性の向上を図るうえで有用である。
【００３８】
（第２実施例）  図５に本発明に係る操作コマの第２実施例を示す。本実施例のコマ本体２では、下ブロック１５とボトム１７との間にスペーサ２２を介在させたことと、回転体１１を構成する磁石の個数を一つとした点などが、先の第１実施形態と相違する。スペーサ２２は、下ブロック１５の大径部１５ｂと同径の外径寸法を有するスペーサ本体２２ａを基体として、該スペーサ本体２２ａの上端面に、下ブロック１５の雌ねじ部１５ｄに螺合接合する雄ねじ部２２ｂが突設され、スペーサ本体２２ａの下端面に、ボトム１７の雄ねじ部１７ｂと螺合接合する雌ねじ部２２ｃを有する穴が凹み形成されている。雌ねじ部２２ｃを有する穴のまわりには、パッキン１９を受け入れるための凹部２２ｄが形成されている。符号２３は、スペーサ２２と下ブロック１５との間に介在される円リング状のスペーサを示す。本実施例に係る回転体１１は、一個の円リング状の磁石１１ａと、該磁石１１ａよりも外径寸法の小さな円筒状の重錘２４とで構成される。
これら以外の点は、先の第１実施形態と同様であるので、同一部材には同一符号を付して、その説明を省略する。
【００３９】
この第２実施例に係るコマ本体２においても、コマ本体２の回転中心軸Ｐ上に被操作片２０を装着したため、自立回転状態にあるコマ本体２に対して操作体３を使って誘導操作したときにも、回転体１１が波打つように傾くことはなく、したがって、コマ本体２の自立回転時間が短くなる不都合は生じず、より長時間にわたってコマ本体２の自立回転状態を維持することができる。また、スペーサ２２を装着することで、回転体１１の机面４からの高さ位置を変更することができるため、コマ本体２の動きに変化を付けることができる。
【００４０】
（第３実施例）  図６に本発明の第３実施例を示す。この第３実施例に係るコマ本体２では、回転体１１を下窄まりテーパー状の円錐形の樹脂成形品とした点、回転体１１の中心に、雌ねじ部を有する貫通孔１１ｃを形成して、該貫通孔１１ｃに被操作片２０を内蔵する円柱状のヘッド１６を螺合装着した点、貫通孔の下方より接地片２１を備えるボトム１７を螺合装着した点などが、先の第１実施例と相違する。ヘッド１６を回転体１１に装着した状態において、ヘッド１６の上方の円柱端面と回転体１１の上端面とは面一状となるようになっている。つまり、被操作片２０は回転体１１の内部に埋設状に装着されている。それ以外の点は、先の第１実施例と同様であるので、同一部材には同一符号を付して、その説明を省略する。
【００４１】
この第３実施例に係るコマ本体２においても、コマ本体２の回転中心軸Ｐ上に被操作片２０を装着したため、自立回転状態にあるコマ本体２に対して操作体３を使って誘導操作したときにも、回転体１１が波打つように傾くことはなく、したがって、コマ本体２の自立回転時間が短くなる不都合は生じず、より長時間にわたってコマ本体２の自立回転状態を維持することができる。
【００４２】
（第４実施例）  図７に本発明の第４実施例を示す。この第４実施例に係るコマ本体２では、回転体１１を、上下面の外周部に傾斜面１１ｄ・１１ｄを有して、水平外方向に行くに従って漸次厚み寸法が小さくなる円盤状に形成した点、ヘッド１６の上方に被操作片２０を装着した点などが先の第３実施形態と相違する。ヘッド１６は、円柱状のベース１６ａと、ベース１６ａの上下中央部から水平外方向に張り出し形成されたフランジ１６ｄとで構成される。ベース１６ａの下端の外周面には、回転体１１の貫通孔１１ｃの雌ねじ部に螺合装着される雄ねじ部１６ｂが形成されており、ベース１６ａの上端部に円リング状の磁石である被操作片２０が外嵌状に装着されている。それ以外の点は、先の第３実施例と同様であるので、同一部材には同一符号を付して、その説明を省略する。
【００４３】
この第４実施例に係るコマ本体２においても、コマ本体２の回転中心軸Ｐの近傍位置に被操作片２０を装着したため、自立回転状態にあるコマ本体２に対して操作体３を使って誘導操作したときにも、回転体１１が波打つように傾くことはなく、したがって、コマ本体２の自立回転時間が短くなる不都合は生じず、より長時間にわたってコマ本体２の自立回転状態を維持することができる。
【００４４】
（第５実施例）  図８に本発明の第５実施例を示す。この第５実施例に係るコマ本体では、回転体１１を扁平な円柱状とし、非磁性体で形成した点、回転体１１の内部に円筒状の被操作片２０となる磁石が埋設されている点、回転体１１の中央に開設された貫通孔１１ｃに、ゴム製の軸受筒１３が装着され、この軸受筒１３の軸受孔１３ａに上方より上ブロック１４が挿入され、下方よりボトム１７が挿入されている点などが、先の第４実施例と大きく相違する。上ブロック１４に設けられた雌ねじ部１４ｄに、ボトム１７の雄ねじ部１７ｂが螺合結合されることで、両者１４・１７が一体化されている。回転体１１の内部には、円筒状の磁石或いは磁性金属からなる被操作片２０が埋設されている。被操作片２０の筒壁内面は、回転体１１の貫通孔１１ｃの内面の一部を構成しており、換言すれば、回転体１１の最内周部に被操作片２０は埋設されている。
【００４５】
この第５実施例に係るコマ本体２においても、コマ本体２の回転中心軸Ｐの近傍位置に被操作片２０を装着したため、自立回転状態にあるコマ本体２に対して操作体３を使って誘導操作したときにも、回転体１１が波打つように傾くことはなく、したがって、コマ本体２の自立回転時間が短くなる不都合は生じず、より長時間にわたってコマ本体２の自立回転状態を維持することができる。
【００４６】
（第６実施例）  図９および図１０に本発明に係る操作コマの第６実施例を示す。本実施例のコマ本体２では、ヘッド１６の上端に装着されていた被操作片２０を廃して、回転体１１を構成する磁石１１ａ・１１ｂに被操作片２０としての機能を持たせた点が、第１実施形態と相違する。すなわち、この第６実施例に係るコマ本体２では、図１０に示すように、回転体１１を構成する円リング状の磁石１１ａ・１１ｂの中心部（回転中心部）近傍から発せられる磁力を使って、操作体３によりコマ本体２を誘導操作することができるようにしている。図１０において、符号Ｌ１は磁石１１ａ・１１ｂから発せられる磁力線のうち、特に回転中心部の近傍から発せられる磁力線を、符号Ｌ２は、操作体３から発せられる磁力線を示す。それ以外の点は、先の第１実施形態と同様であるので、同一の部材には同一の符号を付して、その説明を省略する。
【００４７】
以上のように、本実施例に係る操作コマでは、回転体１１を構成する円リング状の磁石１１ａ・１１ｂから発せられる磁力線のうち、回転中心部の近傍、すなわち回転中心軸Ｐの近傍から発せられる磁力線Ｌ１と、操作体３から発せられる磁力線Ｌ２の両磁力線Ｌ１・Ｌ２に由来して、コマ本体２と操作体３との間に作用する磁気吸引力或いは磁気反発力を利用して、コマ本体２を机面４で任意の位置に誘導操作することができるようにした。これにて、実施例１に係る操作コマと同様に、コマ本体２の回転軸１０の回転中心に対してダイレクトに磁力を作用させながら、操作体３を使ってコマ本体２を誘導操作することができるので、誘導操作時に回転体１１が波打つように傾くことを防ぐことができる。従って、より長時間にわたって、コマ本体２の自立回転状態を維持することができる。なお、本実施例では操作体３は棒状の磁石を使用したが、その必要はなく、磁性金属等の磁石に吸着する物性を備えたものであってもよい。
【００４８】
（第７実施例）  図１１に、本発明に係る操作コマ１を、サッカー遊戯具に適用した第６実施例を示す。このサッカー遊戯具は、第１実施例に係る操作コマ１と、該操作コマ１を構成するコマ本体２により弾き飛ばされるボール３０と、サッカーゴールを模して形成されたミニチュアのゴール３１とで構成される。ボール３０は、針金を球殻状に編んだものである。
【００４９】
このサッカー遊戯具では、机上で自立回転状態にあるコマ本体２に対して、該コマ本体２に接触しないように上方より操作体３を近付けて、コマ本体２を机上に載置されたボール３０に向かって誘導操作する。そして、コマ本体２の回転体１１をボール３０に衝突させることで、ボール３０を所望の方向、例えばゴール３１の方向に弾き飛ばす。このとき、ボール３０を所望の方向へ飛ばすためには、コマ本体２の回転方向だけでなく、ボール３０への接近方向や接近速度などを勘案しながら、コマ本体２を操作体３を使って誘導操作する必要がある。また、ボール３０の飛距離はコマ本体２の回転速度で決定されるため、該回転速度を勘案する必要もある。
【００５０】
以上のように、本発明のサッカー遊戯具は、ボール３０を所望の方向へ弾き飛ばすためには、コマ本体２の回転方向等、種々の要素を勘案しながら、操作体３を使ってコマ本体２を誘導操作する必要があり、従来の単に回すだけであったコマに比べて、高い興趣性を備えた遊戯具を提供することができる。また、ボール３０が球殻状に編んだ針金で形成されているため、コマ本体２の衝突具合によって、ボール３０の動きがトリッキーとなる点でも高い興趣性が得られる。
【００５１】
（第８実施例）  図１２に、本発明に係る操作コマ１を、スラローム遊戯具に適用した第７実施例を示す。このスラローム遊戯具は、第１実施例に係る操作コマ１と、机上に載置されてスタート位置とゴール位置が記載された遊戯シート３２と、遊戯シート３２上に載置された複数個の障害物３３とを含む。
【００５２】
このスラローム遊戯具では、机上で自立回転状態にあるコマ本体２に対して、該コマ本体２に接触しないように上方より操作体３を近付けて、コマ本体２を遊戯シート３２のスタート位置からゴール位置まで、障害物３３を避けながら誘導操作する。このように、障害物３３との衝突を避けながらコマ本体２を誘導操作するためには、コマ本体２の回転方向に応じて操作体３の接近方向などや接近速度等を勘案する必要がある。スタート位置からゴール位置までコマ本体２を確実に移動させるためには、コマ本体２の自立回転時間を勘案する必要もある。以上のように、本実施例のスラローム遊戯具では、障害物３３に衝突させることなく、コマ本体２をゴール位置まで移動させるためには、操作体３を使ったコマ本体２に対する微妙な誘導操作が必要であり、従来の単に回すだけであったコマに比べて、高い興趣性を備えた遊戯具を実現できる。
【００５３】
（第９実施例）  図１３に、本発明に係る操作コマ１を、喧嘩ゴマ遊戯具に適用した第８実施例を示す。この喧嘩ゴマ遊戯具は、第１実施例に係る二つ以上のコマ本体２・２と、各コマ本体２・２を上方より非接触状態で誘導操作するための操作体３・３とからなる。そして、二人の遊戯者が、自身が所有のコマ本体２・２を誘導操作して、両コマ本体２・２を衝突させて、いずれのコマ本体２・２が最後まで回転しているかを競うものである。
【００５４】
この喧嘩ゴマ遊戯具では、操作体３を使って、コマ本体２を自在に誘導操作することができるので、例えば攻撃能力の強いコマ本体２を操作する遊戯者は、積極的に該コマ本体２を相手側に衝突させ、逆に持久力の強いコマ本体２を操作する遊戯者は、衝突が最小限に留まるように、コマ本体２を逃がすなどの戦略的な遊戯が可能となる。したがって、従前の遊戯盤内にコマを落とした後は、コマの衝突動作を眺めるしかなかった喧嘩ゴマに比べて、格段に興趣性に富んだ遊戯具を得ることができる。なお、前述のように、コマ本体２の攻撃力や持久力などは、コマ本体２の接地片２１の形状により変化するものであり、また、該接地片２１を有するボトム１７ごと付け替えることで、コマ本体２の持久力等を変更することが可能である。また、回転体１１を構成する磁石１１ａ・１１ａの磁極に由来して、コマ本体２・２に磁力（磁気反発力、或いは磁気吸引力）が作用し、該磁力によって、コマ本体２・２どうしの衝突具合が変化する点でも興趣性の向上が期待できる。
【００５５】
（第１０実施例）  図１４に、本発明に係る操作コマ１を、ジャンプ遊戯具に適用した第９実施例を示す。このジャンプ遊戯具は、操作コマ１と傾斜面３５ａを有するジャンプ台３５とを含む。ジャンプ台３５の傾斜面３５ａの下端の踏み切り位置３５ｂには、ジャンプ用の磁石３６が埋設されている。また、コマ本体２の回転軸の下端には、ジャンプ用の磁石３６と逆向きの極を有する磁石からなる接地片２１が装着されている。傾斜面３５ａには、踏み切り位置３５ｂに向かってコマ本体２をガイドするためのガイド溝３７が設けられている。傾斜面３５ａの踏み切り位置３５ｂは、水平面或いは僅かに斜め上方傾斜する面に形成されており、コマ本体２には、水平方向或いは斜め上方への慣性力が作用するようになっている。
【００５６】
このジャンプ遊戯具においては、ジャンプ台３５の上方より、操作体３を使ってコマ本体２をジャンプ台３５の傾斜面３５ａを誘導滑走させて、コマ本体２がジャンプ台３５の踏み切り位置３５ｂまで誘導操作する。そして、コマ本体２が踏み切り位置３５ｂに至ると、ジャンプ用の磁石３６と接地片２１の磁石との間に作用する磁気反発力と、コマ本体２の水平方向或いは斜め方向の慣性力とが相俟って、コマ本体２をジャンプ台３５から斜め上方に飛び出させることができる。したがって、コマ本体２を遠くまでジャンプさせるためには、遊戯者は踏み切り位置３５ｂへのコマ本体２の進入速度や侵入角度などを、操作体３を使って最適化する必要があり、従来の単に回すだけであったコマに比べて、高い興趣性を備えた遊戯具を提供することができる。
【００５７】
本発明に係る操作コマ１を構成するコマ本体２は、第１〜第５実施例に示したものに限られない。第６〜第９実施例の遊戯具で用いられる操作コマ１のコマ本体２は、実施例１に示されたものに限られない。コマ本体２は手動で自立回転させるもののほか、電動や手動の専用の回転操作具を使ってコマ本体２を自立回転させるものであってもよい。
【符号の説明】
【００５８】
１  操作コマ
２  コマ本体
３  操作体
４  机面
１０  回転軸
１１  回転体
１４  上ブロック
１５  下ブロック
１６  ヘッド
１７  ボトム
２０  被操作片
３０  ボール
３１  ゴール
３３  障害物
３５  ジャンプ台
３５ａ  傾斜面
３５ｂ  踏み切り位置
３６  磁石
【図１】
2011206509.tif 000003
【図２】
2011206509.tif 000004
【図３】
2011206509.tif 000005
【図４】
2011206509.tif 000006
【図５】
2011206509.tif 000007
【図６】
2011206509.tif 000008
【図７】
2011206509.tif 000009
【図８】
2011206509.tif 000010
【図９】
2011206509.tif 000011
【図１０】
2011206509.tif 000012
【図１１】
2011206509.tif 000013
【図１２】
2011206509.tif 000014
【図１３】
2011206509.tif 000015
【図１４】
2011206509.tif 000016